(57)【特許請求の範囲】
【請求項１】
使用者の肌状態を測定する肌状態検出手段と、
使用者の肌状態を改善する肌状態改善手段と、
肌状態の測定データに基づいて肌状態改善手段の稼動を制御する制御手段と、
を備え、
肌状態検出手段は、使用者の肌の弾力性を測定し、
肌状態改善手段は、暖かいスチームと冷たいミストを交互に肌に当てて肌状態を改善し、
制御手段は、肌の弾力性が所定値以上の場合、標準パターンで、暖かいスチームと冷たいミストとを交互に切り換え、肌の弾力性が所定値未満の場合、暖かいスチームの時間が標準パターンより長い弾力性向上パターンで、暖かいスチームと冷たいミストとを交互に切り換える
ことを特徴とする肌状態改善システム。
【請求項２】
前記肌状態改善手段および制御手段を同一のハウジングに設け、前記肌状態検出手段は、肌状態の測定データを有線または無線で制御手段へ送信することを特徴とする請求項１記載の肌状態改善システム。
【請求項３】
前記制御手段は、前記肌状態検出手段および肌状態改善手段にネットワークを介して接続され、肌状態の測定データが肌状態検出手段からネットワークを介して制御手段へ送信されると、制御手段は、受信した測定データをもとに肌状態改善手段の稼動を制御する信号を生成して、ネットワークを介して肌状態改善手段へ送信し、肌状態改善手段は、受信した信号に応じて稼動することを特徴とする請求項１または２記載の肌状態改善システム。
【発明の詳細な説明】
【技術分野】
【０００１】
本発明は、肌状態改善システムに関するものである。
【背景技術】
【０００２】
従来、肌状態を改善するために温冷両用のスキンケア装置があり、水をヒーターで加熱して発生させた暖かいスチーム（温スチーム）と超音波振動子で発生させた冷たいミスト（冷ミスト）を送風ファンで搬送し、それぞれの作動を切り替えスイッチで切り替えてノズルから温霧、冷霧、および混合された湿風を肌に吐出することで、使用者の肌状態を改善していた（例えば、特許文献１参照）。
【特許文献１】実公平６−９６５４号公報
【発明の開示】
【発明が解決しようとする課題】
【０００３】
しかし、上記従来の技術では、熱霧、冷水およびそれらを混合した適宜の温度の蒸気を、切換えスイッチにより適宜切り換え、若しくはタイマー動作により自動的に切り換えて霧吹きノズルから吹き出させている。したがって、切換えスイッチによる切り換えでは、使用者が温スチームと冷ミストとを肌に当てる時間（期間、間隔、サイクル等）を自分で設定しなければならず、専門的な知識を持っていない使用者にとって、肌状態の改善に効果的な設定を行うことは困難であった。また、タイマーによる自動切り換えでは、画一的な動作になるため、使用者の実際の肌状態は考慮されておらず、肌状態の改善効果に問題があった。
【０００４】
本発明は、上記事由に鑑みてなされたものであり、その目的は、使用者の肌状態を考慮して、肌状態を容易に改善させることができる肌状態改善システムを提供することにある。
【課題を解決するための手段】
【０００５】
請求項１の発明は、使用者の肌状態を測定する肌状態検出手段と、使用者の肌状態を改善する肌状態改善手段と、肌状態の測定データに基づいて肌状態改善手段の稼動を制御する制御手段と、を備え、肌状態検出手段は、使用者の肌の弾力性を測定し、肌状態改善手段は、暖かいスチームと冷たいミストを交互に肌に当てて肌状態を改善し、制御手段は、肌の弾力性が所定値以上の場合、標準パターンで、暖かいスチームと冷たいミストとを交互に切り換え、肌の弾力性が所定値未満の場合、暖かいスチームの時間が標準パターンより長い弾力性向上パターンで、暖かいスチームと冷たいミストとを交互に切り換えることを特徴とする。
【０００６】
この発明によれば、使用者の実際の肌状態に基づいて肌状態改善手段の稼動を制御するので、使用者の肌状態を考慮して、肌状態を容易に改善させることができる。また、温で血管拡張し、冷で血管収縮することを利用して、温スチームと冷ミストを繰り返すことで、血管の柔軟性を高め、肌の血流量が増加し、代謝が改善するので、皮膚細胞への十分な栄養補給と、老廃物の排出が行われてきれいな肌になる。また、温冷の繰り返しにより肌のターンオーバーが正常化し、肌状態の改善ができる。さらに、温冷の繰り返しにより、皮脂腺を刺激することで皮脂の円滑な分泌が行われ、汚れた皮脂を排出し、肌の皮脂量の正常化が出来る。これらの効果は、温冷を２回以上繰り返すことで短時間で表れ、継続することで肌本体の恒常性維持機能も良くなり、効果はさらに高まる。また、使用者の肌の弾力性を考慮して、肌状態を改善させることができる。
【００１７】
請求項２の発明は、請求項１において、前記肌状態改善手段および制御手段を同一のハウジングに設け、前記肌状態検出手段は、肌状態の測定データを有線または無線で制御手段へ送信することを特徴とする。
【００１８】
この発明によれば、ネットワークへの面倒な接続が必要なく簡単に使用することができる。
【００１９】
請求項３の発明は、請求項１または２において、前記制御手段は、前記肌状態検出手段および肌状態改善手段にネットワークを介して接続され、肌状態の測定データが肌状態検出手段からネットワークを介して制御手段へ送信されると、制御手段は、受信した測定データをもとに肌状態改善手段の稼動を制御する信号を生成して、ネットワークを介して肌状態改善手段へ送信し、肌状態改善手段は、受信した信号に応じて稼動することを特徴とする。
【００２０】
この発明によれば、制御手段をネットワーク上に配置するので演算能力を向上させることができ、肌状態の測定データを分析する能力や、肌状態改善手段を効果的に稼動させる能力が向上する。
【発明の効果】
【００２１】
以上説明したように、本発明では、使用者の肌状態を考慮して、肌状態を容易に改善させることができるという効果がある。また、温で血管拡張し、冷で血管収縮することを利用して、温スチームと冷ミストを繰り返すことで、血管の柔軟性を高め、肌の血流量が増加し、代謝が改善するので、皮膚細胞への十分な栄養補給と、老廃物の排出が行われてきれいな肌になる。また、温冷の繰り返しにより肌のターンオーバーが正常化し、肌状態の改善ができる。さらに、温冷の繰り返しにより、皮脂腺を刺激することで皮脂の円滑な分泌が行われ、汚れた皮脂を排出し、肌の皮脂量の正常化が出来る。これらの効果は、温冷を２回以上繰り返すことで短時間で表れ、継続することで肌本体の恒常性維持機能も良くなり、効果はさらに高まる。また、使用者の肌の弾力性を考慮して、肌状態を改善させることができる。
【発明を実施するための最良の形態】
【００２２】
以下、本発明の実施の形態を図面に基づいて説明する。
【００２３】
（実施形態１）
本実施形態の肌状態改善システムは、図１に示すように、使用者の肌状態を測定し、測定データを赤外線信号で送信する肌状態検出装置Ａと、使用者の肌状態を改善する肌状態改善部Ｂと、肌状態の測定データに基づいて肌状態改善手段の稼動を制御する制御部Ｃとを備え、肌状態改善部Ｂと制御部Ｃとは装置本体１に設けられ、肌状態検出装置Ａは装置本体１とは別体に設けられる。
【００２４】
そして、図２に示すように、装置本体１は、ハウジング２と、このハウジング２の上部を塞ぐ上蓋３と、ハウジング２の底部を塞ぐ底蓋４と、上蓋３に取り付けられたタンク蓋５と、ノズル６とから構成されている。
【００２５】
ノズル６には、暖かいスチーム（温スチーム）が噴出されるスチーム吐出口７と、冷たいミスト（冷ミスト）が吐出されるミスト吐出口８とが開口されている。
【００２６】
上蓋３には、肌状態検出装置Ａからの赤外線信号を受ける受光窓９と、電源操作スイッチボタン１０と、モード切替操作スイッチボタン１１とが設けられている。電源操作スイッチボタン１０は、装置本体１の内部に構成された電源スイッチをオンまたはオフする操作ボタンである。モード切替操作スイッチボタン１１は、装置本体１の内部に構成されたモード切替スイッチをオンまたはオフする操作ボタンである。
【００２７】
給水タンク１５に供給された液体１９は、図３の模式図で示すように、スチーム生成部１２と冷ミスト生成部１３に送られる。スチーム生成部１２では、液体１９をヒータ８５で加熱してハウジング２内に設けられたチャンバー内でスチームを生成し、スチーム吐出口７より温スチームを放出する。冷ミスト生成部１３では、液体１９をチャンバーで貯留し、超音波振動子８６でミストを生成し、ファン５９による風で送風路内を搬送してミスト吐出口８より冷ミストを放出する。
【００２８】
そして、温冷制御回路部１４では、スチーム生成部１２のヒータ８５と、冷ミスト生成部１３の超音波振動子８６と、ファン５９を回転させるファンモータ５８と、がマイコンおよび切替えスイッチを介して電気的に接続され、温スチームと冷ミストの放出切り換え動作を行っている。
【００２９】
而して、上記構成により使用者の肌状態を改善する肌状態改善部Ｂを構成している。
【００３０】
そして、温冷制御回路部１４による温スチームと冷ミストの切り換え動作は、装置本体１内の制御部Ｃが、受光窓９を介して肌状態検出装置Ａから受信した肌状態の測定データに基づいて制御している。
【００３１】
肌状態検出装置Ａは、図４、図５に示すように、センサヘッド２１ａを使用者の肌に接触させて肌の水分量を測定する肌水分センサ２１と、測定データを赤外線信号で送信する通信部２２と、測定開始／終了、測定データの送信を行うための操作部２３とを使用者の手に保持可能な棒状のハウジング２０に設けて、装置本体１とは別体に構成される。そして、使用者は、肌状態検出装置Ａによって肌の水分量を測定し、当該測定データを赤外線信号で装置本体１の制御部Ｃへ送信する。なお、肌状態検出装置Ａから測定データを装置本体１の制御部Ｃへ有線を介して送信する構成でもよい。
【００３２】
制御部Ｃは、赤外線通信手段を備えており、肌状態検出装置Ａから赤外線信号で受信した測定データに基づいて、肌の水分量が所定値以上の場合は、標準パターンで温スチームと冷ミストを交互に切り換えて放出させる。この標準パターンは、例えば温スチーム：４分  →  冷ミスト：１．５分  →  温スチーム：２分  →  冷ミスト：１．５分  →  温スチーム：２分  のパターンに設定される。また、制御部Ｃは、受信した測定データに基づいて、肌の水分量が所定値未満の場合は、標準パターンより温スチームの時間が長い水分補給パターンで温スチームと冷ミストを交互に切り換えて放出させて、水分量を増やすように制御する。この水分補給パターンは、例えば温スチーム：６分  →  冷ミスト：１．５分  →  温スチーム：３分  →  冷ミスト：１．５分  →  温スチーム：３分  のパターンに設定される。なお、冷ミストの放出機能がない場合でも、水分補給パターンにおける温スチームの放出時間を標準パターンよりも長くすればよい。
【００３３】
そして、温スチームで血管拡張し、冷ミストで血管収縮することを利用し、受信した測定データに基づいて温スチームと冷ミストを繰り返すことで、血管の柔軟性を高め、肌の血流量が増加し、代謝が改善するので、皮膚細胞への十分な栄養補給と、老廃物の排出が行われてきれいな肌になる。
【００３４】
また、温冷の繰り返しにより肌のターンオーバーが正常化し、肌状態の改善ができる。さらに、温冷の繰り返しにより、皮脂腺を刺激することで皮脂の円滑な分泌が行われ、汚れた皮脂を排出し、肌の皮脂量の正常化が出来る。これらの効果は、温冷を２回以上繰り返すことで短時間で表れ、継続することで肌本体の恒常性維持機能も良くなり、効果はさらに高まる。
【００３５】
このように、制御部Ｃは、肌状態検出装置Ａによって検出した使用者の実際の肌の水分量に基づいて肌状態改善部Ｂの稼動を制御するので、肌の水分量を考慮して肌状態を容易に改善させることができる。
【００３６】
また肌状態検出装置Ａは、図６（ａ）に示すように、肌水分センサ２１の代わりに、センサヘッド２４ａを使用者の肌に押し付けて肌の弾力性を測定する肌弾力センサ２４を備えたものでもよい。この場合、制御部Ｃは、肌状態検出装置Ａから赤外線信号で受信した測定データに基づいて、肌の弾力性が所定値以上の場合は、標準パターンで温スチームと冷ミストを交互に切り換えて放出させる。この標準パターンは、例えば温スチーム：４分  →  冷ミスト：１．５分  →  温スチーム：２分  →  冷ミスト：１．５分  →  温スチーム：２分  のパターンに設定される。また、制御部Ｃは、受信した測定データに基づいて、肌の弾力性が所定値未満の場合は、標準パターンより温スチームの時間が長い弾力性向上パターンで温スチームと冷ミストを交互に切り換えて放出させて、弾力性が向上するように制御する。この弾力性向上パターンは、例えば温スチーム：１１分  →  冷ミスト：２分  のパターンに設定され、暖めることでコラーゲンが増えて、弾力性が改善される。なお、冷ミストの放出機能がない場合でも、弾力性向上パターンにおける温スチームの放出時間を標準パターンよりも長くすればよい。
【００３７】
したがって、制御部Ｃは、肌状態検出装置Ａによって検出した使用者の実際の肌の弾力性に基づいて肌状態改善部Ｂの稼動を制御するので、肌の弾力性を考慮して肌状態を容易に改善させることができる。
【００３８】
また、肌状態検出装置Ａは、図６（ｂ）に示すように、肌水分センサ２１の代わりに、センサヘッド２５ａを使用者の肌に接触させて肌の皮脂量を測定する皮脂量センサ２５を備えたものでもよい。この場合、制御部Ｃは、肌状態検出装置Ａから赤外線信号で受信した測定データに基づいて、肌の皮脂量が所定値未満の場合は、標準パターンで温スチームと冷ミストを交互に切り換えて放出させる。この標準パターンは、例えば温スチーム：４分  →  冷ミスト：１．５分  →  温スチーム：２分  →  冷ミスト：１．５分  →  温スチーム：２分  のパターンに設定される。また、制御部Ｃは、受信した測定データに基づいて、肌の皮脂量が所定値以上の場合は、標準パターンより温冷の繰り返し回数を増やした皮脂量改善パターンで温スチームと冷ミストを交互に切り換えて放出させて、皮脂量を減らすように制御する。この皮脂量改善パターンは、例えば温スチーム：６分  →  冷ミスト：１分  →  温スチーム：２．２５分  →  冷ミスト：０．７５分  →  温スチーム：３分  →  冷ミスト：１分  のパターンに設定される。
【００３９】
したがって、制御部Ｃは、肌状態検出装置Ａによって検出した使用者の実際の肌の皮脂量に基づいて肌状態改善部Ｂの稼動を制御するので、肌の皮脂量を考慮して肌状態を容易に改善させることができる。
【００４０】
さらに、肌状態検出装置Ａは、肌水分センサ２１と肌弾力センサ２４と皮脂量センサ２５とのうちいずれか２つ以上を備えてものでもよい。
【００４１】
なお、肌水分センサ２１としては、例えば肌の誘電率から水分量を測定する構成等があり、肌弾力センサ２４としては、例えば肌を押した際の反発力から皮膚の弾力性を測定する構成等があり、皮脂量センサ２５としては、例えばセンサヘッドに皮膚から転写させた皮脂を光学的に分析することにより皮脂量を測定する構成等があり、それらの構成は周知であるので説明は省略する。
【００４２】
（実施形態２）
図７は本発明に係る肌状態改善システムの概略構成を示し、個人の住宅Ｘにおいてイーサネット（登録商標）によりＬＡＮ２０１が構築され、当該ＬＡＮ２０１が住宅盤５３内に収納された情報ブレーカと呼ばれるセキュリティ機器５３ａを介してＷＡＮを構成するインターネット２０２に接続されている。ここで、セキュリティ機器５３ａは、宅内の機器に対する不正アクセスと思われるパケットを自動破棄する機能などを備えている。
【００４３】
一方、様々な機器を用いた各種の健康プログラムを提供する事業者Ｙには、使用者が自宅で所望の健康管理プログラムを実行できるようにする後述の健康管理サービスを提供するためのセンターサーバ１０１と、健康管理プログラムの実践内容を示す動画を配信するための映像配信サーバ１０２が設置されている。ここにおいて、事業者Ｙ側のセンターサーバ１０１および映像配信サーバ１０２と、インターネット２０２と、事業者Ｙが提供する健康管理サービスを利用する住宅Ｘ内のＬＡＮ２０１と、住宅Ｘ内に設置された肌状態検出装置Ａおよび肌状態改善部Ｂ、表示装置５２などで本システムが構成される。
【００４４】
肌状態検出装置Ａは、実施形態１と同様に構成されるが、通信部２２が赤外線通信機能の代わりにBluetoothまたは特定小電力無線を用いた通信機能を備えている（図５参照）。
【００４５】
肌状態改善部Ｂは、図８に示すように、実施形態１と同様に装置本体１に設けられるが、制御部Ｃの代わりに、Bluetoothまたは特定小電力無線を用いた通信機能を備えた通信部３０を備えた点が異なる。
【００４６】
そして、制御部Ｃは、センターサーバ１０１内に設けられており、肌状態検出装置Ａ、肌状態改善部Ｂとは、ＬＡＮ２０１、インターネット２０２のネットワークを介して通信行う。
【００４７】
表示装置５２はネットワーク接続機能を備えたテレビジョン装置からなり、インターネット２０２およびＬＡＮ２０１を介して映像配信サーバ１０２から配信された映像を画面５２ｂ上に表示するとともに、音声を内蔵スピーカ（図示せず）から出力する。また表示装置５２は、リモコン装置５２ａから送信される赤外線のような光信号からなるワイヤレス信号を受信するワイヤレス受信部（図示せず）を備え、操作に応じてリモコン装置５２ａから送信されたワイヤレス信号をワイヤレス受信部が受信し、当該ワイヤレス信号に応じて表示するチャンネルや音量の切り替えを行ったり、ネットワークを介して映像配信サーバ１０２にアクセスし、映像配信サーバ１０２に蓄積された映像を送信させることができる。なお、表示装置５２は、肌状態改善部Ｂを使用する使用者から目視可能な位置に設置されているものとする。
【００４８】
住宅盤５３は、主幹開閉器および分岐開閉器を内蔵して、宅内の分岐回路に電力を供給するとともに、宅内のＬＡＮ２０１に接続されるセキュリティ機器５３ａが図示しないルータを介してインターネット２０２に接続されている。
【００４９】
ネットアダプタ５４は、ＬＡＮケーブル２０３を介してセキュリティ機器５３ａに接続されるとともに、Bluetoothまたは特定小電力無線を利用して肌状態検出装置Ａおよび肌状態改善部Ｂとの間で無線電波によって通信を行うものである。すなわち、ネットアダプタ５４の通信可能エリア内に存在する肌状態検出装置Ａから、送信元および送信先のＩＤを含む無線電波が送信され、この無線電波をネットアダプタ５４が受信すると、無線電波により送信された信号のプロトコル変換を行い、送信先のＩＤが示すネットワーク機器（表示装置５２やセンターサーバ１０１など）へ信号を送信する。また、ネットワーク機器（センターサーバ１０１など）から送信先として肌状態改善部Ｂが設定された信号が送信されると、ネットアダプタ５４が送信された信号のプロトコル変換を行って無線電波に変換し、送信先の肌状態改善部Ｂへ無線電波を送信する。このように、Bluetoothまたは特定小電力無線を利用することにより、ネットアダプタ５４と肌状態検出装置Ａおよび肌状態改善装置Ｂとの通信において、指向性が広がるとともに通信経路に障害物があっても通信可能となり、通信範囲が拡大される。
【００５０】
本システムでは、表示装置５２が、ＬＡＮケーブル２０３を介してセキュリティ機器５３ａに接続されており、インターネット２０２およびＬＡＮ２０１を介して映像配信サーバ１０２から配信された映像を画面５２ｂ上に表示したり、センターサーバ１０１から送信された映像信号や音声信号を出力することができる。また、肌状態検出装置Ａ、肌状態改善部Ｂ、制御部Ｃはそれぞれネットアダプタ５４を介してＬＡＮ２０１に接続されており、ＬＡＮ２０１およびインターネット２０２を介してセンターサーバ１０１に接続されるので、センターサーバ１０１との間でデータの送受信が行えるようになっている。なお、肌状態検出装置Ａ、肌状態改善部Ｂ、表示装置５２、ネットアダプタ５４にはそれぞれ個別のローカルＩＰアドレスが割り当てられており、センターサーバ１０１（および制御部Ｃ）と各機器との間で相互に通信が行えるようになっている。
【００５１】
ここで、本システムにより事業者Ｂが提供する健康管理サービスの１つである肌状態の改善サービスを住宅Ｘ内の利用者が利用する場合について以下に説明する。
【００５２】
まず、使用者は、肌状態検出装置Ａによって肌の水分量を測定し、当該測定データを無線電波でネットアダプタ５４へ送信し、ネットアダプタ５４からＬＡＮ２０１、インターネット２０２を介してセンターサーバ１０１内の制御部Ｃへ送信される。
【００５３】
制御部Ｃは、受信した測定データに基づいて、実施形態１と同様に、肌の水分量が所定値以上の場合は標準パターンで温スチームと冷ミストを交互に切り換えて放出させる標準制御信号を生成し、肌の水分量が所定値未満の場合は、標準パターンより温スチームの時間が長い水分補給パターンで温スチームと冷ミストを交互に切り換えて放出させる水分補給制御信号を生成して、ＬＡＮ２０１、インターネット２０２からネットアダプタ５４を介して肌状態改善部Ｂへ送信する。
【００５４】
肌状態改善部Ｂは、受信した制御信号に応じて、標準パターンまたは水分補給パターンのいずれかで温スチームと冷ミストを交互に切り換えて放出するので、使用者の肌の水分量を考慮した動作となる。
【００５５】
このように、制御部Ｃは、肌状態検出装置Ａによって検出した使用者の実際の肌の水分量に基づいて肌状態改善部Ｂの稼動を制御するので、肌の水分量を考慮して肌状態を容易に改善させることができる。
【００５６】
また肌状態検出装置Ａは、肌水分センサ２１の代わりに、センサヘッド２４ａを使用者の肌に押し付けて肌の弾力性を測定する肌弾力センサ２４を備えたものや（図６（ａ）参照）、センサヘッド２５ａを使用者の肌に接触させて肌の皮脂量を測定する皮脂量センサ２５を備えたもの（図６（ｂ）参照）でもよく、実施形態１と同様に、肌状態検出装置Ａによって検出した使用者の実際の肌の弾力性や皮脂量に基づいて肌状態改善部Ｂの稼動が制御されるので、肌の弾力性や皮脂量を考慮して肌状態を容易に改善させることができる。さらに、肌状態検出装置Ａは、肌水分センサ２１と肌弾力センサ２４と皮脂量センサ２５とのうちいずれか２つ以上を備えてものでもよい。
【００５７】
さらに本実施形態では、ネットワーク上のセンターサーバ１０１に制御部Ｃを配置したので、以下のようなサービスを使用者に提供することができる。
【００５８】
まず使用者が、リモコン装置５２ａを用いてセンターサーバ１０１にアクセスさせる操作を行う。この操作により表示装置５２とセンターサーバ１０１との間でＬＡＮ２０１およびインターネット２０２を介して通信が行われ、使用者に対して提供可能なサービスを紹介するＷｅｂページが表示装置５２の画面５２ｂ上に表示される。このＷｅｂページには、肌状態改善プログラムを提供するサービスを選択する選択ボタンが表示されており、この選択ボタンを選択する操作をリモコン装置５２ａにより行うと、表示装置５２からＬＡＮ２０１およびインターネット２０２を介してセンターサーバ１０１へ肌状態改善プログラムの提供を要求するサービス要求が送信される。
【００５９】
センターサーバ１０１は、制御部Ｃが肌状態検出装置Ａから取得した使用者の肌状態（水分量、弾力性、皮脂量のうちいずれか１つ以上）のデータを格納しており、この使用者の肌状態やその履歴に応じて、映像配信サーバ１０２から、健康管理プログラムとして肌状態改善プログラムに関する動画を選択して表示装置５２へ配信させる。使用者は、表示装置５２の表示された動画を見て、自分の肌状態を改善させる食事、精神面、睡眠等について改善方法を教示される。したがって、肌状態改善部Ｂによる改善だけでなく、肌状態の測定データに基づいた動画によるアドバイスを受けることができ、さらなる改善効果を得ることができる。
【００６０】
また上記同様に、使用者がリモコン装置５２ａを用いてセンターサーバ１０１にアクセスさせる操作を行うことで表示装置５２の画面５２ｂ上に表示されるＷｅｂページには、使用者の肌の測定データの履歴や、測定データと標準値とを比較するグラフ等を提供するサービスを選択する選択ボタンもある。この選択ボタンを選択する操作をリモコン装置５２ａにより行うことで、測定データの履歴や、測定データと標準値とを比較するグラフ等の画像データがセンターサーバ１０１から表示装置５２に送信され、画面５２ｂ上に表示される。したがって、使用者は、現状の肌状態や改善効果を確認することができ、肌状態の改善への動機付けとなる。
【００６１】
また、ネットアダプタ５４（図７参照）が、肌状態検出装置Ａから送信された肌状態の測定データをもとに制御信号を生成する制御部Ｃを備えて、肌状態改善部Ｂへ制御信号を送信してもよい。このようにネットアダプタ５４が肌状態の測定データをもとに制御信号を生成する構成では、装置本体１で制御信号を生成する場合に比べて演算の処理能力の面で有利であり、さらにセンターサーバ１０１で制御信号を生成する場合に比べて制御信号を肌状態改善部Ｂへ送信して稼動を制御する即時性の面で有利である。
【００６２】
また本実施形態では、肌状態検出装置Ａとネットアダプタ５４との間で電波通信を行い、ネットアダプタ５４からＬＡＮ２０１およびインターネット２０２を介してセンターサーバ１０１へデータを送信しているが、Bluetoothまたは特定小電力無線を用いた通信機能を備えた携帯電話ＨＰを用いて肌状態検出装置Ａから測定データを取り込むとともに、携帯電話ＨＰから携帯電話網およびインターネットを介してセンターサーバ１０１へ測定データを送信するようにしても良い。
【００６３】
また上述の表示装置として、Bluetoothまたは特定小電力無線を用いた通信機能を備えた携帯電話ＨＰを用いても良い。この場合、センターサーバ１０１からのＷｅｂページや、映像配信サーバ１０２からの動画を携帯電話ＨＰのディスプレイ上に表示させる。
【図面の簡単な説明】
【００６４】
【図１】実施形態の肌状態改善システムの構成を示すブロック図である。
【図２】同上の装置本体の外観を示す斜視図である。
【図３】同上の装置本体の概略構成を示す図である。
【図４】同上の肌状態検出装置の構成を示す斜視図である。
【図５】同上の肌状態検出装置の構成を示すブロック図である。
【図６】（ａ）（ｂ）同上の肌状態検出装置の別の構成を示すブロック図である。
【図７】実施形態２の肌状態改善システムの概略構成を示す図である。
【図８】同上の肌状態改善部の概略構成を示す図である。
【符号の説明】
【００６５】
１  装置本体
Ａ  肌状態検出装置
Ｂ  肌状態改善部
Ｃ  制御部
【図１】
0005215652.tif 000002
【図２】
0005215652.tif 000003
【図３】
0005215652.tif 000004
【図４】
0005215652.tif 000005
【図５】
0005215652.tif 000006
【図６】
0005215652.tif 000007
【図７】
0005215652.tif 000008
【図８】
0005215652.tif 000009